(57)【要約】【課題】  絵柄面積率が異なる印刷版胴について、迅速かつ精度良く色調濃度の調整を行なうことができるオフセット印刷機を提供する。【解決手段】  オフセット印刷機１０はインキローラ２５と、多数のインキ供給ブレード１６とからなるインキ供給装置２４と、インキ供給装置２４にインキ伝達ローラ群２７を介して連結された印刷版胴３０と、ブランケット胴３１とを備えている。印刷版胴３０は幅方向に沿って絵柄面積率が異なっており、各インキ供給ブレード１６のキー開度は駆動機構１６ａを介して制御部２０により調整される。制御部２０は各インキ供給ブレード１６毎に、単位色調調整指示量当りのインキ供給制御量を内蔵している。この単位色調調整指示量当りのインキ供給制御量は、印刷版胴３０の絵柄面積率を用いて予め求められている。【選択図】  図６
2006248032.tif 000002
【特許請求の範囲】
【請求項１】
インキローラと、インキローラの幅方向に沿って多数配置されたインキ供給ブレードとを有し、インキを供給するインキ供給装置と、
インキ供給装置にインキ伝達ローラ群を介して連結され、インキ供給装置からのインキが供給されるとともに幅方向に異なる絵柄面積率を有する印刷版胴と、
印刷版胴からインキが転写され、ウェブに対して印刷を施すブランケット胴とを備え、
インキ供給装置の各インキ供給ブレードは、駆動制御部により個別に駆動されて、インキローラとの間のキー開度が調整され、
駆動制御部は各インキ供給ブレードに対応して、単位色調調整量当りのキー開度を内蔵しており、入力された色調調整量に基づいて各インキ供給ブレードのキー開度を制御することを特徴とするオフセット印刷機。
【請求項２】
駆動制御部に内蔵された各インキ供給ブレードに対応する単位色調調整量当りのキー開度は、絵柄面積率と、キー開度と、色調濃度との関係を用いて、予め定められた版胴の幅方向の絵柄面積率に基づいて定められていることを特徴とする請求項１記載のオフセット印刷機。
【請求項３】
駆動制御部に内蔵された各インキ供給ブレードに対応する単位色調調整量当りのキー開度は、絵柄面積率と、キー開度と、色調濃度との関係を用いて、予め定められた画像データに基づいて定められていることを特徴とする請求項１記載のオフセット印刷機。
【請求項４】
オフセット印刷機は輪転型のオフセット印刷機であることを特徴とする請求項１記載のオフセット印刷機。
【請求項５】
オフセット印刷機は枚葉型のオフセット印刷機であることを特徴とする請求項１記載のオフセット印刷機。
【発明の詳細な説明】
【技術分野】
【０００１】
本発明はインキローラと、多数のインキ供給ブレードと、印刷版胴とを有するオフセット印刷機に係り、とりわけ印刷版胴の絵柄面積率を考慮して色調調整を行なうことができるオフセット印刷機に関する。
【背景技術】
【０００２】
従来のオフセット印刷機等の印刷システムとして、印刷された印刷物の色調を調整するために、幅方向に区切られたインキ供給装置を、絵柄面積率を用いてプリセットする技術が知られている（例えば特許文献１参照）。印刷開始後の色調管理については、コントロールストリップの測定（特許文献２参照）、絵柄の色調測定（特許文献３参照）等により、対応する区間の絵柄面積率に基づいて個々のインキ供給量が自動的に補正される。
【０００３】
しかしながら、コントロールストリップを用いた場合、印刷スペースが制限され、かつその測定器や制御システムが高価なことにより導入実績は少ない。このため現状ではオペレーターが実際に刷り出された印刷物と色調見本とを比較して、幅方向に仕切られたインキ供給装置を個々に制御し、印刷物の色調を見本に合わせて調整している。
【０００４】
また従来と製版処理（絵柄面積率）が異なるアクロマチック製版技術が知られている（特許文献４参照）。
【特許文献１】特開昭５８−１６６０５５号公報
【特許文献２】特開平１１−２４０１３７号公報
【特許文献３】特開平１０−１６１９８号公報
【特許文献４】特開平１０−１４２７７５号公報
【発明の開示】
【発明が解決しようとする課題】
【０００５】
従来の印刷システムでは、印刷物の色調を調整するために、印刷版胴の幅方向に区切られたインキ供給装置を個々に制御する場合、オペレーターが制御盤上でこれらインキ供給装置を制御している。この場合、制御盤上で制御する１目盛りで制御されるインキ供給量は一定となっている。
【０００６】
他方、色調濃度を０．１上げるために必要とされるインキ供給量は絵柄面積率により異なる。例えば同一の色調濃度を上げるために、絵柄面積率が１０％の場合は１目盛りでよく、絵柄面積率が３０％の場合は３目盛り必要になることがあり、制御盤において印刷物の濃度を上げたつもりでも、絵柄面積率が多い場合は、実際は期待通りに色調濃度が上がっていなかったり、逆に絵柄面積率が低い場合は色調濃度が上がりすぎていることがある。
【０００７】
熟練した印刷オペレーターであれば、絵柄から絵柄面積率の予測ができ、感覚的に調整する目盛りの大小を制御できるが、経験年数の浅いオペレーターにとって絵柄面積率の予測は困難である。またアクロマチック製版等で従来と製版処理（絵柄面積率）が異なる場合は、経験値からの予測は困難である。またこのように経験に基づく感覚により色調濃度を調整した場合、色調濃度が目標濃度に安定するまでに多量のウェブを消費しなければならず、また時間が必要となる。
【０００８】
本発明はこのような点を考慮してなされたものであり、経験年数の浅いオペレーターであっても容易かつ簡単に色調を調整することができる印刷システムを提供することを目的とする。
【課題を解決するための手段】
【０００９】
本発明は、インキローラと、インキローラの幅方向に沿って多数配置されたインキ供給ブレードとを有し、インキを供給するインキ供給装置と、インキ供給装置にインキ伝達ローラ群を介して連結され、インキ供給装置からのインキが供給されるとともに幅方向に異なる絵柄面積率を有する印刷版胴と、印刷版胴からインキが転写され、ウェブに対して印刷を施すブランケット胴とを備え、インキ供給装置の各インキ供給ブレードは、駆動制御部により個別に駆動されて、インキローラとの間のキー開度が調整され、駆動制御部は各インキ供給ブレードに対応して、単位色調調整量当りのキー開度を内蔵しており、入力された色調調整量に基づいて各インキ供給ブレードのキー開度を制御することを特徴とするオフセット印刷機である。
【００１０】
本発明は、駆動制御部に内蔵された各インキ供給ブレードに対応する単位色調調整量当りのキー開度は、絵柄面積率と、キー開度と、色調濃度との関係を用いて、予め定められた版胴の幅方向の絵柄面積率に基づいて定められていることを特徴とするオフセット印刷機である。
【００１１】
本発明は、駆動制御部に内蔵された各インキ供給ブレードに対応する単位色調調整量当りのキー開度は、絵柄面積率と、キー開度と、色調濃度との関係を用いて、予め定められた画像データに基づいて定められていることを特徴とするオフセット印刷機である。
【００１２】
本発明は、オフセット印刷機は輪転型のオフセット印刷機であることを特徴とするオフセット印刷機である。
【００１３】
本発明は、オフセット印刷機は枚葉型のオフセット印刷機であることを特徴とするオフセット印刷機である。
【発明の効果】
【００１４】
以上のように本発明によれば、経験に頼ることなく、絵柄面積率が異なる印刷版胴を有するオフセット印刷機を用いて、迅速かつ精度良く色調濃度の調整を行なうことができる。
【発明を実施するための最良の形態】
【００１５】
以下、図面を参照して本発明の実施の形態について説明する。図１乃至図７は本発明によるオフセット印刷機の一実施の形態を示す図である。
【００１６】
まず、図１および図７（ａ）（ｂ）により本発明によるオフセット印刷機の概略について述べる。ここで図７（ａ）はオフセット印刷機の概略図であり、図７（ｂ）はインキ供給ブレードを示す拡大図である。
【００１７】
図１および図２に示すように、オフセット印刷機１０は輪転型のオフセット印刷機であり、このオフセット印刷機１０はインキローラ２５と、インキローラ２５の幅方向に沿って多数配置されたインキ供給ブレード（インキ供給部）１６とを有しインキを供給するインキ供給装置２４と、インキ供給装置２４にインキ伝達ローラ群２７を介して連結されインキ供給装置２４からのインキが供給される印刷版胴３０と、印刷版胴３０からインキが転写されウェブＷに対して印刷を施すブランケット胴３１とを備えている。また印刷版胴３０には水供給装置３２から水が供給される。
【００１８】
これらインキローラ２５とインキ供給ブレード１６とからなるインキ供給装置２４、インキ伝達ローラ群２７、印刷版胴３０、ブランケット胴３１および水供給装置３２は、ウェブＷの上方および下方に一対ずつ設けられ、一対のブランケット胴３１によりウェブＷの上面および下面に対して印刷を施すようになっている。
【００１９】
またインキローラ２５の幅方向に沿って多数設けられたインキ供給ブレード１６は、対応する駆動機構１６ａによりブレード１６の配置方向にインキローラ２５に対して離接自在に駆動され、各駆動機構１６ａは制御部２０により制御される。このうち、各ブレード１６に対応する駆動機構１６ａと制御部２０とにより駆動制御部が構成される。
【００２０】
上述のように各ブレード１６は駆動機構１６ａによりインキローラ２５に対して離接して、インキローラ２５との間の間隙量（キー開度）が調整される。この場合、各々のブレード１６において、キー開度が大きくなると、当該ブレード１６からのインキ供給量が多くなり、キー開度が小さくなると当該ブレード１６からのインキ供給量が少なくなる。またインキローラ２５とブレード１６とによってインキつぼが構成され、インキローラ２５とブレード１６との間にインキ２３が充てんされる。
【００２１】
このように各インキ供給ブレード１６は制御部２０によって対応する駆動機構１６ａを介して駆動制御され、このため各インキ供給ブレード１６からインキ伝達ローラ群２７を介して印刷版胴３０へ供給されるインキ供給量は、制御部２０により個別に制御される。また後述のように印刷版胴３０は、幅方向に沿って絵柄面積率が異なっており、かつ各インキ供給ブレード１６は幅方向に沿って配列されているため、各ブレード１６毎に対応する絵柄面積率を有することになる。
【００２２】
ところで、制御部２０は各インキ供給ブレード１６に対応して、単位色調調整量当りのインキ供給制御量を内蔵している。制御部２０は外部から入力された色調調整指示量に基づいて、インキ供給ブレード１６を駆動機構１６ａを介して駆動して各インキ供給ブレード１６のキー開度を調整し、各インキ供給ブレード１６からのインキ供給量を制御するようになっている。
【００２３】
また、各インキ供給ブレード１６に対応する単位色調調整量当りのインキ供給制御量は、後述のように絵柄面積率と、キー開度と、色調濃度との関係を用いて、予め定められた版胴３０の幅方向の絵柄面積率に基づいて定められる。この場合、予め定められた印刷版胴３０の幅方向の絵柄面積率の代わりに、画像データを用いて各インキ供給ブレード１６に対応する単位色調調整量当りのインキ供給制御量を求めることもできる。
【００２４】
次にこのような構成からなる本実施の形態の作用について説明する。
【００２５】
まず、インキローラ２５とインキ供給ブレード１６とからなるインキつぼ内のインキ２３が、インキローラ２５から供給され、インキローラ２５から供給されたインキ２３はインキ伝達ローラ群２７を介して印刷版胴３０へ送られる。印刷版胴３０は表面に刷版を有しており、印刷版胴３０の刷版上のインキはブランケット胴３１に転写される。このときブランケット胴３１に連続ウェブＷが供給され、ブランケット胴３１に転写されたインキによりウェブＷに対して印刷が施される。図７（ａ）（ｂ）に示すオフセット印刷機において、一対のブランケット胴３１間に供給された連続ウェブＷの上面および下面に対して、印刷が施される。このようにウェブＷの上面および下面に印刷を施すことによって印刷物が作製される。
【００２６】
この間、各々のインキ供給ブレード１６が、制御部２０により対応する駆動機構１６ａを介して駆動され、各インキ供給ブレード１６のキー開度が調整される。このように各インキ供給ブレード１６のキー開度を調整することにより、各インキ供給ブレード１６からのインキ供給量が制御される。
【００２７】
次に印刷物（ウェブ）Ｗの色調濃度の調整（色調調整）を行なう場合の制御部２０における制御方法について説明する。
【００２８】
まず色調調整の制御方法の基本的原理を述べる。
【００２９】
図２は絵柄面積率の大小それぞれについて、インキ供給量を定めるインキ供給ブレード１６のキー開度と印刷物の色調濃度との関係を表す。印刷物の色調濃度をａだけ調整したい場合、絵柄面積率が大きい方がキー開度の調整量が大きくなる（ｃ＞ｂ）。また同じだけキー開度を調整した際に絵柄面積率が大きい方が印刷物の色調濃度の変化が小さい（傾きが小さい  ｅ＜ｄ）。
【００３０】
図３に絵柄面積率と、インキ供給量に対応するキー開度に対する印刷物の色調濃度の傾きの関係（変換関数）を示す。この変換関数を基に印刷版胴３０の幅方向に配置された各インキ供給ブレード１６について、各インキ供給ブレード１６に対応する絵柄面積に合わせた上記傾きを求める。ここでインキ供給制御量は、オペレーターが制御盤上で制御したい１目盛り分の濃度÷傾きとなる。
【００３１】
次に具体的な色調調整の制御方法について述べる。
【００３２】
図４に印刷版胴に対する実際のインキ供給量に対応するキー開度と印刷物の色調濃度の関係の一例を示す。絵柄面積率が１２％、３５％、５７％における近似直線の傾きは、順に０．０２６８、０．０１９７、０．０１２９となった。図５に絵柄面積率と上記傾きの関係を示す。印刷版胴毎に特性が異なることが推測されるが、この印刷版胴については、絵柄面積率に対する傾きは、ほぼ直線的に変化した。近似曲線により、求める変換関数はｙ＝−０．０００３ｘ＋０．０３０５であった。
【００３３】
制御構成図を図６に示す。上述のように、各インキ供給ブレード１６は、幅方向に異なる絵柄面積率を有する印刷版胴３０の幅方向位置に対応している。すなわち、各ブレード１６は各々版胴３０の異なる絵柄面積率に対応している。運転開始時に、読み込まれた各品目の絵柄面積率に基づいて、印刷版胴３０の幅方向の絵柄面積率と、インキ供給量に対応するキー開度に対する印刷物の色調濃度の傾きの関係（変換関数）を用いて、各インキ供給ブレード１６毎に単位色調変化量当りのインキ供給制御量を求め、この値をメモリ内に格納する。
【００３４】
例えば印刷版胴の幅方向の絵柄面積率が１２％、３５％、５７％の時、上記変換関数を用いて求めた各インキ供給ブレード１６毎の単位色調変化量当りのインキ供給制御量は、３．７、５．０、７．５となる。
【００３５】
オペレーターは絵柄の色調濃度を等量、例えば、１目盛分（印刷物の色調濃度の０．１に対応する）上昇させたいとき、制御部２０の制御盤に１目盛分の色調調整指示量を与える。
【００３６】
このとき制御部２０は各インキ供給ブレード１６からのインキ供給量を、
単位色調変化量当りのインキ供給制御量×色調調整指示量（１目盛）＝＋３．７、＋５．０、＋７．０として求める。
【００３７】
次に制御部２０は、この各インキ供給ブレード１６からのインキ供給量に基づいて、各々の駆動機構１６ａを介して各インキ供給ブレード１６を制御して、ブレード１６のキー開度を調整する。
【００３８】
このように本実施の形態によれば、幅方向に絵柄面積率が異なる印刷版胴を有するオフセット印刷機を用いて、迅速かつ精度良く色調濃度の調整を行なうことができる。
【００３９】
なお、上述した絵柄面積率１２％、３５％、５７％の数値、および近似直線の傾き０．０２６８、０．０１９７、０．０１２９の数値は、いずれも単なる例示であり、他の数値をとることもできる。
【００４０】
次に本発明の変形例について図８（ａ）（ｂ）および図９により説明する。図７（ａ）（ｂ）において、インキ供給ブレード１６が駆動機構１６ａによりインキローラ２５に対してブレード１６の配置方向（ブレード１６と平行する方向）に離接自在に駆動されて、インキローラ２５とブレード１６との間の間隙（キー開度）が調整される例を示したが、これに限らずインキ供給ブレード１６をブレード１６と直交する方向に駆動してキー開度を調整してもよい（図８（ａ））。
【００４１】
また図７（ａ）（ｂ）において、インキ供給ブレード１６が駆動機構１６ａによりインキローラ２５に対してブレード１６の配置方向に離接自在に駆動される例を示したが、ブレード１６を偏心軸３５ａを有する偏心ローラ３５により揺動軸１６ｂを中心に揺動させて、キー開度を調整してもよい（図８（ｂ））。
【００４２】
さらに、オフセット印刷機１０は輪転型のオフセット印刷機に限らず、図９に示すような枚葉型のオフセット印刷機を用いてもよい。
【００４３】
図９に示すように、オフセット印刷機１０は枚葉型のものであり、このオフセット印刷機１０はインキローラ２５と、インキローラ２５の幅方向に沿って多数配置されたインキ供給ブレード１６とを有しインキを供給するインキ供給装置２４と、インキ供給装置２４にインキ伝達ローラ群２７を介して連結されインキ供給装置２４からのインキが供給される印刷版胴３０と、印刷版胴３０からインキが転写されウェブＷに対して印刷を施すブランケット胴３１とを備えている。
【００４４】
また印刷版胴３０には、水供給装置３２から水が供給される。さらにブランケット胴３１には、圧胴４０が当接し、この圧胴４０とブランケット胴３１と圧胴４０との間で枚葉ウェブＷに対して印刷が施されるようになっている。
【００４５】
図９に示す枚葉型のオフセット印刷機において、インキ供給装置２４の各インキ供給ブレード１６は、図７（ａ）（ｂ）に示すオフセット印刷機と同様、駆動機構１６ａを介して制御部２０により駆動制御される。
【００４６】
この場合、図９に示す枚葉型のオフセット印刷機１０の各インキ供給ブレード１６は、図７（ａ）（ｂ）に示す制御部２０により、上述と同様の制御方法に基づいて駆動制御される。
【図面の簡単な説明】
【００４７】
【図１】本発明によるオフセット印刷機の一実施の形態におけるインキローラとインキ供給ブレードの拡大斜視図。
【図２】キー開度と印刷物濃度との関係を示す図。
【図３】絵柄面積と、キー開度と印刷物濃度の関係を示す図。
【図４】キー開度と印刷物濃度との関係を示す図。
【図５】絵柄面積と、キー開度と印刷物濃度の傾きとの関係を示す図。
【図６】本発明によるオフセット印刷機の制御方法を示す図。
【図７】本発明によるオフセット印刷機の一実施の形態を示す図。
【図８】本発明によるオフセット印刷機の変形例を示す図。
【図９】本発明によるオフセット印刷機の変形例を示す図。
【符号の説明】
【００４８】
１０  オフセット印刷機
１６  インキ供給ブレード
１６ａ  駆動機構
２３  インキ
２４  インキ供給装置
２５  インキローラ
２７  インキ伝達ローラ群
３０  印刷版胴
３１  ブランケット胴
３２  水供給装置
４０  圧胴
【図１】
2006248032.tif 000003
【図２】
2006248032.tif 000004
【図３】
2006248032.tif 000005
【図４】
2006248032.tif 000006
【図５】
2006248032.tif 000007
【図６】
2006248032.tif 000008
【図７】
2006248032.tif 000009
【図８】
2006248032.tif 000010
【図９】
2006248032.tif 000011